(57)【要約】【課題】着用時の姿勢に関わらず空気の流れが遮断され難く、かつ、衣服が膨張して着心地が低下することがない空調付衣服を提案する。【解決手段】空気取込口を有する上着２と、空気取込口に設けられたファン３，３と、上着２と着衣者の背中との間に隙間を形成する第一通気材４と、上着２と着衣者の首周りとの間に隙間を形成する第二通気材５とを備える空調付衣服１である。第一通気材４および第二通気材５は、通気性および可とう性を有している。【選択図】図１
0003216594.tif 000002
【実用新案登録請求の範囲】
【請求項１】
空気取込口を有する上着と、
前記空気取込口に設けられたファンと、
前記上着と着衣者の背中との間に隙間を形成する第一通気材と、
前記上着と前記着衣者の首周りとの間に隙間を形成する第二通気材と、を備える空調付衣服であって、
前記第一通気材および前記第二通気材は、通気性および可とう性を有していることを特徴とする、空調付衣服。
【請求項２】
前記第一通気材および前記第二通気材が立体網状部材であることを特徴とする、請求項１に記載の空調付衣服。
【請求項３】
前記上着の内側の気圧を感知するセンサーを備えていることを特徴とする、請求項１または請求項２に記載の空調付衣服。
【請求項４】
前記第一通気材が、前記上着の背中部分に取り付けられており、
前記第二通気材が、前記上着の襟部分に取り付けられていることを特徴とする、請求項１乃至請求項３のいずれか１項に記載の空調付衣服。
【請求項５】
メッシュ材により形成されたベストを備え、
前記第一通気材が前記ベストの背中部分に取り付けられているとともに、前記第二通気材が前記ベストの首周りに取り付けられた  メッシュ材により形成されたベストを備えていることを特徴とする、請求項１乃至請求項３のいずれか１項に記載の空調付衣服。
【考案の詳細な説明】
【技術分野】
【０００１】
本考案は、空調付衣服に関する。
【背景技術】
【０００２】
熱中症を防止する衣服として、衣服内に外気を取り入れるためのファンを備えた空調付衣服が知られている（例えば、特許文献１）。この空調付衣服は、衣服と人体または下着との間に外部から取り入れた空気を流すことにより、衣服内にこもった空気や水蒸気を換気するとともに、気化熱により人体を冷却する。
衣服内にファンを介して外気を取り入れた場合であっても、衣服が肌または下着に密着してしまうと、空気の流れが遮断されてしまい、所望の冷却効果を得られなくなる場合がある。また、空調付衣服において全体的に空気が流れるようにするためには、袖口や胴周りにおいて空気が漏れないように加工する必要がある。一方、空調付衣服の密封性が高すぎると、衣服が膨らむことにより着心地が悪くなり、作業服として着用している場合には作業性が低下する場合があった。
そのため、本出願人は、特許文献２に示すように、ファンに接続された送風パイプを衣服の内側に配設することで、所望の位置に空気を送風する空調付衣服を開発し、実用化に至っている。
【先行技術文献】
【特許文献】
【０００３】
【特許文献１】特開２００６−１５２４５２号公報
【特許文献２】特開２０１７−１３３１２１号公報
【考案の概要】
【考案が解決しようとする課題】
【０００４】
送風パイプが配管されている場合であっても、例えば、背中を丸めた姿勢をとると、衣服が部分的に密着してしまい、空気の流れが遮断される場合がある。
このような観点から、本考案は、着用時の姿勢に関わらず空気の流れが遮断され難く、かつ、衣服が膨張して着心地が低下することがない空調付衣服を提案することを課題とする。
【課題を解決するための手段】
【０００５】
前記課題を解決するために、本考案の空調付衣服は、空気取込口を有する上着と、前記空気取込口に設けられたファンと、前記上着と着衣者の背中との間に隙間を形成する第一通気材と、前記上着と前記着衣者の首周りとの間に隙間を形成する第二通気材とを備えるものである。前記第一通気材および前記第二通気材は、通気性および可とう性を有している。通気性および可とう性を有した材料としては、例えば、立体網状部材を使用すればよい。
かかる空調付衣服によれば、上着と背中との間に、通気性および可とう性を有した第一通気材が介設されているため、ファンを介して取り込まれた空気の流れが遮蔽されることがない。また、首周りに通気性を備えた第二通気材が配設されているため、衣服内部の空気は、首元から排気される。そのため、空気が衣服の内部に溜まることがなく、衣服の膨張が抑制されている。
また、前記上着の内側の気圧を感知するセンサーを備えていれば、衣服の内部に必要以上に空気が留まることが無いようにファンによって取り込む外気の風量を制御することができる。
なお、前記第一通気材および第二通気材は、前記上着に取り付けられていてもよいし、上着の下に着用するメッシュ材により形成されたベストに取り付けられていてもよい。
【考案の効果】
【０００６】
本考案の空調付衣服によれば、着用時の姿勢に関わらず全体的に通気することを可能とし、かつ、衣服が膨張して着心地が低下することがない。
【図面の簡単な説明】
【０００７】
【図１】本考案の実施形態に係る空調付衣服を示す正面図である。
【図２】本考案の実施形態に係るベストを示す正面図である。
【考案を実施するための形態】
【０００８】
＜第一実施形態＞
第一実施形態では、衣服内に外部から取り入れた空気を流すことにより、衣服内にこもった高温の空気や水蒸気を換気するとともに、気化熱等により着衣者を冷却する空調付衣服１について説明する。
本実施形態の空調付衣服１は、図１に示すように、上着２と、ファン３，３と、第一通気材４と、第二通気材５と、センサー６とを備えている。
上着２は、いわゆる作業着であって、空気取込口（図示せず）を有している。空気取込口は、上着２を貫通した孔であって、本実施形態では、上着２お背中部分に二か所の空気取り組み口が形成されている。なお、空気取込口の配置及び数は限定されるものではなく、例えば、上着２の前側に形成されていてもよい。上着２の胴周り部分（裾部分２１）にはギャザー２２が形成されている。上着２は、ギャザー２２においてが伸縮することで、着衣者の胴周りに密着する。なお、上着２の裾部分２１の構成は限定されるものではなく、例えば、複数のボタンによって、周長が調整可能に構成されていてもよい。
また、上着２の袖口２３は、釦（図示せず）によって閉じられるように構成されている。なお、袖口２３の構成は限定されるものではなく、例えば、ギャザー２２が形成されていてもよい。
【０００９】
ファン３，３は、空気取込口に設けられている。ファン３は、外側の空気を上着２の内側に取り入れる装置である。空気取込口は、必要に応じて、上着２の生地よりも目が粗い生地（メッシュ等）で覆う。なお、ファン３が空気取込口を貫通するように設けられている場合には、空気取込口をメッシュ等で覆う必要はない。本実施形態では、二つのファン３，３が取り付けられているが、ファン３の数は限定されるものではない。また、ファン３の配置は限定されるものではなく、適宜決定すればよい。また、ファン３の取り付け方法も限定されるものではないが、例えば、空気取込口に面して縫い付けてもよいし、空気取込口に面して形成されたメッシュ材からなるポケットに挿入してもよい。
ファン３，３は、内ポケットに収納された電源（バッテリー）３２に電線３１を介して上着２の接続されている。ファン３は、電源３２の電力により駆動するモータ（図示せず）と、モータの動力により回転するプロペラ（図示せず）と、プロペラを覆うカバーとを備えている。プロペラが回転すると、上着２の外側から内側に向かう空気の流れが形成されて、上着２の外側の空気が上着２の内側に取り込まれる。
【００１０】
第一通気材４は、上着２の背中部分に取り付けられており、上着２と上着２の着衣者の背中との間に隙間を形成する。本実施形態の第一通気材４は、立体網状部材を主体に構成されており、通気性および可とう性を有している。本実施形態では、第一通気材４を構成する材料として、いわゆる排水材を短冊状に切断したものを使用する。なお、第一通気材４を構成する材料は、所定の厚みを有した通気性および可とう性を備えたものであれば、立体網状部材に限定されるものではない。例えば、所定の厚みを有したメッシュシートによ第一通気材４を構成してもよい。また、第一通気材４の形状は限定されるものではなく、例えば、円柱状や筒状であってもよい。また、上着２の背中部分に複数の第一通気材４を列状に配設してもよい。
【００１１】
第一通気材４は、メッシュ状の布材により形成された袋４１に立体網状部材を挿入して、この袋４１を上着２に取り付けることにより、上着２の背中部分に設けられている。袋４１は、面ファスナーを介して上着２に着脱可能に取り付けられている。なお、袋４１の取り付け方法は限定されるものではなく、例えば、釦等により取り付けてもよいし、上着２に縫い付けてもよい。また、第一通気材４の設置方法は、限定されるものではなく、例えば、上着２の裏側の背中部分にあてがわれた帯状（短冊状）の立体網状部材を覆うメッシュ状の布材を縫い付けることにより固定してもよい。また、上着２の背中部分に立体網状部材を直接縫い付けてもよいし、背中部分に形成されたポケットに立体網頂部材を挿入してもよい。
【００１２】
第二通気材５は、上着２の襟部分に取り付けられており、上着２と上着２の着衣者の首周りとの間に隙間（通気層）を形成する。本実施形態の第二通気材５は、立体網状部材を主体に構成されており、通気性および可とう性を有している。本実施形態では、第二通気材５を構成する材料として、いわゆる排水材を短冊状に切断したものを使用する。なお、第二通気材５を構成する材料は、所定の厚みを有しているとともに、通気性および可とう性を備えたものであれば、立体網状部材に限定されるものではない。例えば、所定の厚みを有したメッシュシートにより第二通気材５を構成してもよい。また、第二通気材５の形状は限定されるものではなく、例えば、円柱状や筒状であってもよい。また、上着２の襟部分に複数の第二通気材５を列状に固定してもよい。
【００１３】
第二通気材５は、メッシュ状の布材により形成された袋５１に立体網状部材を挿入して、この袋５１を上着２に取り付けることにより、上着２の襟部分に設けられている。袋５１は、面ファスナーを介して上着２に着脱可能に取り付けられている。なお、袋５１の取り付け方法は限定されるものではなく、例えば、釦等により取り付けてもよい。また、第二通気材５の上着２への設置方法は限定されるものではなく、例えば、上着２の襟部分に立体網状部材を直接縫い付けてもよいし、襟部分に治具（フック等）を介して取り付けてもよい。また、上着２の裏側の襟部分にあてがわれた帯状の立体網状部材を覆うメッシュ状の布材を縫い付けることにより固定してもよい。
本実施形態では、第一通気材４の上端が第二通気材５の下端に接している。すなわち、上着２の裏面には、第一通気材４と第二通気材５とがＴ字状に取り付けられている。なお、第一通気材４の上端と第二通気材５の下端との間には隙間を有していてもよい。
【００１４】
センサー６は、上着２の背中部分において、第一通気材４の直下に固定されていて、上着２の内側の気圧を感知する。なお、センサー６の取り付け位置は限定されるものではなく、適宜決定すればよい。また、複数のセンサー６を上着２に取り付けてもよい。センサー６は、ファン３と連結されていて、ファン３はセンサー６により検知された圧力に応じてプロペラの回転速度を制御される。なお、センサー６は必ずしもファン３に連結されている必要はない。
【００１５】
以上、本実施形態の空調付衣服１によれば、通気性および可とう性を有した第一通気材４が介設されているため、着衣者の姿勢に関わらず、上着２と着衣者の背中との間の隙間が塞がれ難い。すなわち、第一通気材４は、着衣者の姿勢に応じて形状が変化するため、第一通気材４の厚みにより形成された隙間が維持される。そのため、ファン３を介して取り込まれた空気の流れが遮断され難い。第一通気材４は、可とう性を有しているため、第一通気材４によって着衣者の動きが制御されることが無い。また、第一通気材４は、立体網状部材を主体に形成されていることで全方向に対して通気が可能であるため、第一通気材４によって空気の流れが遮断されることもない。
また、上着２の首周りに通気性を備えた第二通気材５が配設されているため、上着２の内側の空気は、首元から排気される。そのため、空気が上着２の内側に溜まることがなく、衣服の膨張が抑制されている。
また、上着２の内側の気圧を感知するセンサー６が設けられているため、上着２の内側に必要以上に空気が留まることが無いようにファン３を制御するこによって取り込む外気の風量を調整することができる。そのため、衣服が膨張して着心地が低下することがない。
【００１６】
＜第二実施形態＞
第二実施形態では、第一実施形態と同様に、衣服内に外部から取り入れた空気を流すことにより、衣服内にこもった高温の空気や水蒸気を換気するとともに、気化熱等により着衣者を冷却する場合について説明する。
本実施形態では、ファン３，３が取り付けられた上着２の下にベスト７を着用する。ベスト７には、第一通気材４、第二通気材５およびセンサー６が取り付けられている。
上着２は、いわゆるファン付き作業着であって、空気取込口が形成されているとともに、この空気取込口にファン３が設けられている。なお、空気取込口およびファン３の詳細は、第一実施形態で示したものと同様なため、詳細な説明は省略する。
【００１７】
ベスト７は、メッシュ材により形成されている。図２に示すように、ベスト７の背中部分には第一通気材４が取り付けられており、ベスト７の首周りには第二通気材５が取り付けられている。本実施形態では、第一通気材４の上端が第二通気材５の下端に接している。すなわち、ベスト７の裏面には、第一通気材４と第二通気材５とがＴ字状に取り付けられている。なお、第一通気材４の上端と第二通気材５の下端との間には隙間を有していてもよい。この他の第一通気材４と第二通気材５の詳細は、第一実施形態で示した内容と同様なため、詳細な説明は省略する。
センサー６は、ベスト７の背中部分において、第一通気材４の直下に固定されていて、上着２の内側の気圧を感知する。この他のセンサー６の詳細は、第一実施形態で示した内容と同様なため、詳細な説明は省略する。
【００１８】
本実施形態のベスト７を人体または下着の上に着用すれば、市販のファン付き作業着（上着２）を着用する場合であっても、上着２と人体または下着との間に隙間が形成されるため、上着２が密着して空気の流れが遮断されることがない。そのため、着用時の姿勢に関わらず、ファン３を介して取り込んだ空気を利用した快適性を維持することができる。
また、第二通気材５によって、着衣者の首周りに排気口が確保されるため、上着２が必要以上に膨張することが防止されている。
この他の第二実施形態の作用効果は、第一実施形態と同様なため、詳細な説明は省略する。
なお、ベスト７が、釦やファスナー等を介して上着２に対して着脱可能に取り付けられていれば、ベスト７と上着２とを個別に着用する場合に比べて、着衣時や脱衣時の手間を省略することができ、また、不要時には取り外すことができる。
【００１９】
以上、本考案に係る実施形態について説明した。しかし、本考案は、前述の実施形態に限られず、前記の各構成要素については、本考案の趣旨を逸脱しない範囲で、適宜変更が可能である。
前記実施形態体では、センサー６を備えている場合について説明したが、センサー６は必要に応じて設置すればよく、省略してもよい。
また、センサー６は、上着２内の温度を感知するように構成されていてもよい。このようなセンサー６を使用すれば、上着２内の空気の温度に応じて、ファン３を制御することで、快適な温度を保つようにすることが可能となる。
前記実施形態では、第一通気材４と第二通気材５とに同じ材料を使用する場合について説明したが、第一通気材４と第二通気材５は、それぞれ異なる材料により構成されていてもよい。
【符号の説明】
【００２０】
１  空調付衣服
２  上着
３  ファン
４  第一通気材
５  第二通気材
６  センサー
７  ベスト
【図１】
0003216594.tif 000003
【図２】
0003216594.tif 000004